(57)【要約】      （修正有）【課題】新型感温変色ストローを提供する。【解決手段】新型感温変色ストローは、管体１を含み、管体１の表面に食品工業用感温材料層が設けられ、管体１に交換可能な吸い口３が設けられ、吸い口３の中部にそれと一体成形されたリミットリングが設けられ、吸い口３の片端が管体１の上端に挿し込まれ、吸い口３にダイヤフラムが設けられ、また十字切り欠きが設けられ、十字の切り欠きは通常閉じており、吸い上げまたは吹き込み時に初めて開き、漏れ防止バルブブロックを形成しており、管体１の下端に重力球４が接続され、重力球４に貫通孔５を設けられ、一つの管状接続端６が伸び、管状接続端６が管体１の下端口に接続され、管体１は食品工業用シリコーンゲルで作られている。【選択図】図１
0003233157.tif 000002
【実用新案登録請求の範囲】
【請求項１】
管体を含み、前記管体の表面に食品工業用の感温材料層を設けていることを特徴とする新型感温変色ストロー。
【請求項２】
前記管体に交換可能な吸い口が設けられ、前記吸い口の中部にこれと一体成形されたリミットリングが設けられ、吸い口の片端は管体の上端に挿し込んでいることを特徴とする請求項１記載の新型感温変色ストロー。
【請求項３】
前記吸い口にダイヤフラムが設けられ、また十字の切り欠きが設けられ、十字の切り欠きは通常閉じており、吸い上げまたは吹き込み時に初めて開き、漏れ防止バルブブロックを形成していることを特徴とする請求項２記載の新型感温変色ストロー。
【請求項４】
前記管体の下端に重力球が接続され、前記重力球に貫通孔が設けられ、一つの管状接続端が延びており、管状接続端が管体の下端口に接続されていることを特徴とする請求項１記載の新型感温変色ストロー。
【請求項５】
前記管体に波形部が設けられていることを特徴とする請求項１記載の新型感温変色ストロー。
【請求項６】
前記管体は食品工業用シリコーンゲルで作られていることを特徴とする請求項１記載の新型感温変色ストロー。
【考案の詳細な説明】
【技術分野】
【０００１】
本考案はストローに関するもので、特に新型感温変色ストローに関するものである。
【背景技術】
【０００２】
現在、食品安全問題は社会各界で大きな反響を引き起こしており、人々は日常生活の中で食品安全問題をより重視している。さまざまな飲料の変化に伴って、それに合わせるストローは多様化しており、乳幼児がストローを使用することはより一般的になり、ストローの材質安全問題、ストローの多様化とカラフル化も業界の研究開発の重点となっている。
【０００３】
感温変色ストローは外部の温度変化に応じてカラーが変化し、面白さと美感を高めるだけでなく、人々はカラーの変化を利用して接触する物体の温度変化を知り、使用効果を高めることができる。例えば、赤ちゃんがストローを使用する時、調合された食品の温度が高過ぎて子供をやけどさせることを防ぐ必要があるが、感温変色ストローを使用すると、温度を判断してやけどを防ぐことができる。また、国家の関係規定によると、変色顔料は通常の顔料と同じように、その製品に顔料が含まれた部分は、食品や飲用水に直接触れないようにしなければならない。既存のストローは外形的に設計されず、美感がないか、形だけが変わっているか、ストローの内層材質に顔料などの小さな分子が含まれており、食品の安全問題を引き起こしやすい。このゆえに、性能が高く、安全で無毒で、感温変色が可能な二色材料の感温変色ストローを開発することは、当分野に従事している技術者にとって早急に解決すべき問題となっている。
【考案の概要】
【０００４】
本考案は上記の問題点を解決するため、新型感温変色ストローを提供している。
【０００５】
本考案は、管体を含み、前記管体の表面に食品工業用感温材料層が設けられる新型感温変色ストローを提供するという技術提案を通じて、上記目的を達成させる。
【０００６】
さらに、前記管体に交換可能な吸い口が設けられ、前記吸い口の中部にこれと一体成形されたリミットリングが設けられ、吸い口の片端は管体の上端に挿し込んでいる。
【０００７】
さらに、前記吸い口にダイヤフラムが設けられ、また十字の切り欠きが設けられ、十字の切り欠きは通常閉じており、吸い上げまたは吹き込み時に初めて開き、漏れ防止バルブブロックを形成している。
【０００８】
さらに、前記管体の下端に重力球が接続され、前記重力球に貫通孔が設けられ、一つの管状接続端が延びており、管状接続端が管体の下端口に接続されている。
【０００９】
さらに、ストローが便利に曲がるように、前記管体に波形部が設けられている。
【００１０】
さらに、前記管体は食品工業用シリコーンゲルで作られている。
【００１１】
使用時に、管体表面の食品工業用感温材料層は、温度変化によってカラーが変わり、水温が３８℃未満の場合、ストロー表面はピンク色になり、水温が４５℃を超えた場合、ストロー表面は白色になる。
【００１２】
本考案は、従来技術と比較して、感温変色ストローが変色測温、直感的な表示と警告により、高温液体による使用者の口腔やけどを避けることができると同時に、ストローの芸術性と美感を高めるという利点がある。
【図面の簡単な説明】
【００１３】
【図１】図１は、本考案の実施例１の概略構成図である。
【図２】図２は、本考案の実施例２の概略構成図である。
【図３】図３は本考案の管体の横断面概略図である。
【図４】図４は、本考案の吸い口の概略構成図である。
【図５】図５は図４のＡ−Ａ部の断面図である。
【考案を実施するための形態】
【００１４】
以下は図面に結び付けて本考案を詳しく説明する。
【００１５】
（１）原料の準備：下記のようにそれぞれ原料を準備する。
シリコーンゲルモールド：トップモールド、ミドルモールド、ボトムモールドに分けられる。
シリコーンゲル原料、加硫剤、変色パウダー
【００１６】
（２）油圧プレスを準備し、準備した原料をモールドに入れ、原料をモールド成形する。
さらに、前記ステップ（１）の感温変色パウダーの変色温度を６５℃、４５℃、３８℃、３３℃、３１℃、２５℃、２２℃、１８℃、１５℃、１２℃、５℃のいずれかに設定する。
前記方法で製造した単色ストローで、感温ストローは温度の上昇・降下に従って繰り返してカラーを変えることができる。
【００１７】
さらに、前記中空管状体の横断面は円形または楕円形で、管体の両端はそろっている。
本考案は従来技術と比べて、下記の利点を有している。
【００１８】
本考案が提供した単色原料による感温変色ストローの製造方法によって、製造効率を効果的に向上させ、所望の形状、長さ、切り欠きに合った様々なストローを作ることができる。本考案による単色原料感温変色ストロー製品は、独特に調制された感温変色材料を通じて、全体的に各所で温度の上昇・降下に応じて色を繰り返し変化させることができる。変色パウダーが内蔵されているため、特定の温度で製品自体のカラーを表現することができ、表示可能な温度範囲が大きくなり、ストローの芸術性と美感が著しく向上される。また、このストローは変色測温、直感的な表示と警告により、高温液体による使用者の口腔やけどを避けることができる。
上記は本考案の技術提案の概要である。以下は、具体的な実施形態に基づいて、本発明についてさらに説明する。
【００１９】
具体的な実施形態：
【００２０】
実施例１：本実施例で提供する単色材料感温変色ストローの製造方法は、下記のステップを含む。
（１）原料の準備：下記のようにそれぞれ原料を準備する。
硬度が３５〜４０である固体シリコーンゲル。
一体化モールドプレスまたは一体化成形され、厚さが０．６〜０．８ｍｍである。
（２）油圧プレスと相応する成形モールドを用意して、モールドに入れて、準備したシリコーンゲル材料をモールドプレス成形するか、押出成形する。
【００２１】
実施例１：図１、図３、図４及び図５に示すように、一種の新型感温変色ストローであり、管体１を含み、前記管体１の表面に食品工業用感温材料層２が設けられ、前記管体１に交換可能な吸い口３が設けられ、前記吸い口３の中部にそれと一体成形されたリミットリング１０が設けられ、吸い口３の片端が管体１の上端に挿し込まれ、前記吸い口３にダイヤフラム７が設けられ、また十字切り欠き８が設けられ、十字の切り欠きは通常閉じており、吸い上げまたは吹き込み時に初めて開き、漏れ防止バルブブロックを形成しており、前記管体１の下端に重力球４が接続され、前記重力球４に貫通孔５を設けられ、一つの管状接続端６が伸び、管状接続端６が管体１の下端口に接続され、前記管体１は食品工業用シリコーンゲルで作られている。
【００２２】
実施例２：図２、図３、図４及び図５に示すように、一種の新型感温変色ストローであり、管体１を含み、前記管体１の表面に食品工業用感温材料層２が設けられ、前記管体１に交換可能な吸い口３が設けられ、前記吸い口３の中部にそれと一体成形されたリミットリング１０が設けられ、吸い口３の片端が管体１の上端に挿し込まれ、前記吸い口３にダイヤフラム７が設けられ、また十字切り欠き８が設けられ、十字の切り欠きは通常閉じており、吸い上げまたは吹き込み時に初めて開き、漏れ防止バルブブロックを形成しており、前記管体１にストローの曲がりを便利にさせるための波形部９が設けられている。
【００２３】
使用時に、管体１表面の食品工業用感温材料層は、温度変化によってカラーが変わり、水温が３８℃未満の場合、ストロー表面はピンク色になり、水温が４５℃を超えた場合、ストロー表面は白色になる。
【００２４】
以上は本考案の実施例だけであり、本考案の請求の範囲はこれらによって制限されない。本考案の明細書及び図面の内容を利用して行われた同等構造または同等プロセスの変換、あるいは直接または間接的に他の関連技術分野に運用することは、いずれも本考案の特許請求の範囲に含まれる。
【図１】
0003233157.tif 000003
【図２】
0003233157.tif 000004
【図３】
0003233157.tif 000005
【図４】
0003233157.tif 000006
【図５】
0003233157.tif 000007